(57)【要約】【課題】円滑に放射線画像を撮影させることができる警告装置及びプログラムを提供する。【解決手段】ＣＰＵ１０４は、電子カセッテ３２の接続端子３２Ａと通信ケーブル４３の接続状態を示す状態情報を取得し、取得された状態情報に基づいて、接続端子３２Ａに接続された通信ケーブル４３が画像情報の伝送に不適切であるか否か判定し、接続端子３２Ａに接続された通信ケーブル４３が画像情報の伝送に不適切であると判定された場合に警告が行われるようにディスプレイ１００を制御する。【選択図】図４
2010022640.tif 000002
【特許請求の範囲】
【請求項１】
照射された放射線により表わされる放射線画像を示す画像情報を生成する生成手段及び接続端子を備え、生成した前記画像情報を前記接続端子に接続された通信ケーブルを介して伝送する放射線画像撮影装置の前記接続端子と前記通信ケーブルの接続状態を示す状態情報を取得する取得手段と、
前記取得手段により取得された状態情報に基づいて、前記接続端子に接続された前記通信ケーブルが前記画像情報の伝送に不適切であるか否か判定する判定手段と、
前記判定手段により前記接続端子に接続された前記通信ケーブルが前記画像情報の伝送に不適切であると判定された場合に警告が行われるように警告手段を制御する制御手段と、
を備えた警告装置。
【請求項２】
前記判定手段は、前記状態情報によって示される前記接続状態が画像情報の伝送に不適切であるものとして予め定めた条件を満たすか否か判定することによって前記通信ケーブルが前記画像情報の伝送に不適切であるか否か判定する
請求項１記載の警告装置。
【請求項３】
前記判定手段は、放射線画像の撮影準備段階の所定のタイミングで前記判定を行う
請求項１又は請求項２記載の警告装置。
【請求項４】
前記状態情報は、メカニカルスイッチ又はセンサによって検出された前記接続端子と前記通信ケーブルとの物理的な接合状態を示す情報、前記接続端子に前記通信ケーブルを接続してデータを伝送した際の通信品質を示す情報、及び前記接続端子に前記通信ケーブルを接続させて前記放射線画像撮影装置に設けられた保持部材に前記通信ケーブルを保持させた際の当該通信ケーブルの保持状態を示す情報の少なくとも１つである
請求項１〜請求項２の何れか１項記載の警告装置。
【請求項５】
コンピュータを、請求項１〜請求項４のいずれか１項記載の警告装置を構成する各手段として機能させるためのプログラム。
【発明の詳細な説明】
【技術分野】
【０００１】
本発明は、警告装置及びプログラムに関する。
【背景技術】
【０００２】
近年、ＴＦＴ（Thin Film Transistor）アクティブマトリクス基板上に放射線感応層を配置し、放射線を直接デジタルデータに変換できるＦＰＤ（Flat Panel Detector）が実用化されており、このＦＰＤ等を用いて照射された放射線により表わされる放射線画像を示す画像情報を生成し、生成した画像情報を記憶する可搬型放射線画像撮影装置（以下、「電子カセッテ」ともいう。）が実用化されている。
【０００３】
この電子カセッテは、可搬性を有するため、ストレッチャーやベッドに載せたまま患者を撮影することもでき、電子カセッテの位置を変更することにより撮影箇所を調整することができるため、動けない患者に対しても柔軟に対処することができる。
【０００４】
電子カセッテは、電源あるいはデータ転送などの制限から、制御用の端末（所謂、コンソール）と通信ケーブルで接続することが一般的であった。このため、電子カセッテは、通信ケーブルを着脱するための接続端子が設けられている。電子カセッテは、放射線画像の撮影を行う際、接続端子を通信ケーブルで接続し、撮影によって生成された画像情報を通信ケーブルを介してコンソールへ伝送している。
【０００５】
ところで、通信ケーブルを着脱可能とした場合、ケーブル外れが問題となる。特に、電子カセッテは、通信ケーブルを接続した状態で撮影の際に撮影位置調整のために動かされるため、ケーブル外れが発生しやすい。
【０００６】
このケーブル外れに対処する技術として、特許文献１には、通信ケーブルが外れた場合に撮影を禁止する技術が開示されている。
【特許文献１】特開２００７−４４０６８号公報
【発明の開示】
【発明が解決しようとする課題】
【０００７】
ところで、電子カセッテは、通信ケーブルを着脱可能とした場合、一旦ケーブルが外れると、接続端子と通信ケーブルとの接続状態が不安定となり、ケーブル外れが発生しやすくなる場合がある。このような場合、特許文献１の技術では、ケーブル外れにより撮影が禁止されてしまい、円滑に放射線画像を撮影することができない、という問題点があった。
【０００８】
本発明は上記問題点を解決するために成されたものであり、円滑に放射線画像を撮影させることができる警告装置及びプログラムを提供することを目的とする。
【課題を解決するための手段】
【０００９】
上記目的を達成するために、請求項１に記載の発明の警告装置は、照射された放射線により表わされる放射線画像を示す画像情報を生成する生成手段及び接続端子を備え、生成した前記画像情報を前記接続端子に接続された通信ケーブルを介して伝送する放射線画像撮影装置の前記接続端子と前記通信ケーブルの接続状態を示す状態情報を取得する取得手段と、前記取得手段により取得された状態情報に基づいて、前記接続端子に接続された前記通信ケーブルが前記画像情報の伝送に不適切であるか否か判定する判定手段と、前記判定手段により前記接続端子に接続された前記通信ケーブルが前記画像情報の伝送に不適切であると判定された場合に警告が行われるように警告手段を制御する制御手段と、を備えている。
【００１０】
請求項１に記載の発明によれば、取得手段により、照射された放射線により表わされる放射線画像を示す画像情報を生成する生成手段及び接続端子を備え、生成した画像情報を接続端子に接続された通信ケーブルを介して伝送する放射線画像撮影装置の接続端子と通信ケーブルの接続状態を示す状態情報が取得され、判定手段により、取得手段により取得された状態情報に基づいて、接続端子に接続された通信ケーブルが画像情報の伝送に不適切であるか否か判定され、判定手段により接続端子に接続された通信ケーブルが画像情報の伝送に不適切であると判定された場合に警告が行われるように警告手段が制御手段により制御される。
【００１１】
このように、請求項１に記載の発明によれば、放射線画像撮影装置の接続端子と通信ケーブルとの過去の接続状態を示す状態情報を取得し、取得された状態情報に基づいて、接続端子に接続された通信ケーブルが画像情報の伝送に不適切であるか否か判定し、接続端子に接続された通信ケーブルが画像情報の伝送に不適切であると判定された場合に警告が行われるように警告手段を制御するので、警告に従って通信ケーブルを交換されることにより接続端子と通信ケーブルとの接続状態が安定して画像情報を安定して転送することができるようになるため、円滑に放射線画像を撮影させることができる。
【００１２】
なお、請求項１に記載の発明の警告装置は、請求項２に記載の発明のように、前記判定手段が、前記状態情報によって示される前記接続状態が画像情報の伝送に不適切であるものとして予め定めた条件を満たすか否か判定することによって前記通信ケーブルが前記画像情報の伝送に不適切であるか否か判定してもよい。
【００１３】
これにより、通信ケーブルが画像情報の伝送に不適切であるか否かを適切に判定することができる。
【００１４】
また、請求項１又は請求項２に記載の発明の警告装置は、請求項３に記載の発明のように、前記判定手段が、放射線画像の撮影準備段階の所定のタイミングで前記判定を行うことが好ましい。
【００１５】
これにより、撮影準備段階の所定のタイミングで判定を行い、通信ケーブルが前記画像情報の伝送に不適切である場合に警告を行うことにより、放射線画像の撮影時に接続端子と通信ケーブルとの接続状態が不安定となることを防止できる。
【００１６】
また、請求項１〜請求項３に記載の発明の警告装置は、請求項４に記載の発明のように、前記状態情報が、メカニカルスイッチ又はセンサによって検出された前記接続端子と前記通信ケーブルとの物理的な接合状態を示す情報、前記接続端子に前記通信ケーブルを接続してデータを伝送した際の通信品質を示す情報、及び前記接続端子に前記通信ケーブルを接続させて前記放射線画像撮影装置に設けられた保持部材に前記通信ケーブルを保持させた際の当該通信ケーブルの保持状態を示す情報の少なくとも１つであってもよい。
【００１７】
一方、請求項５記載のプログラムは、コンピュータを、請求項１〜請求項４のいずれか１項記載の警告装置を構成する各手段として機能させるためのものである。
【００１８】
従って、請求項５記載のプログラムによれば、コンピュータを請求項１〜請求項４の何れか１項に記載の警告装置と同様に作用させるので、当該警告装置と同様の効果を得ることができる。
【発明の効果】
【００１９】
本発明によれば、放射線画像撮影装置の接続端子と通信ケーブルの接続状態を示す状態情報を取得し、取得された状態情報に基づいて、接続端子に接続された通信ケーブルが画像情報の伝送に不適切であるか否か判定し、接続端子に接続された通信ケーブルが画像情報の伝送に不適切であると判定された場合に警告が行われるように警告手段を制御するので、円滑に放射線画像を撮影させることができる、という効果が得られる。
【発明を実施するための最良の形態】
【００２０】
以下、図面を参照して本発明を実施するための最良の形態について詳細に説明する。
【００２１】
先ず、実施の形態に係る放射線情報システム１０の構成について説明する。
【００２２】
図１には、本実施の形態に係る放射線情報システム１０{以下、「ＲＩＳ１０」（ＲＩＳ：Radiology Information System）とも称する。）の各構成要素を示すブロック図が示されている。
【００２３】
ＲＩＳ１０は、放射線科部門内における、診療予約、診断記録等の情報管理を行うためのシステムであり、病院情報システム（ＨＩＳ：Hospital Information System）の一部を構成する。
【００２４】
ＲＩＳ１０は、複数の撮影依頼入力端末１２（以下、「入力端末１２」とも称する。）と、ＲＩＳサーバ１４と、複数の放射線画像撮影システム１８（以下、「撮影システム１８」とも称する。）と、を含んで構成されている。
【００２５】
ＲＩＳサーバ１４は、ＲＩＳ１０全体の管理をするものであり、ＬＡＮ（Local Area Network）ケーブル２０又は無線ＬＡＮ２２により、各入力端末１２及び撮影システム１８と相互通信が可能に構成されている。また、ＲＩＳサーバ１４は、ＨＩＳ全体の管理をするＨＩＳサーバ２４に接続されている。
【００２６】
入力端末１２は、医師２６（図２参照。）や放射線技師が、診断情報や施設予約の入力・閲覧をするためのものであり、放射線画像の撮影依頼（撮影予約）もこの入力端末１２からなされる。各入力端末１２は、表示装置付きのパーソナルコンピュータから構成され、ＲＩＳサーバ１４とＬＡＮにより接続されて相互通信が可能となっている。
【００２７】
ＲＩＳサーバ１４は、各入力端末１２からの撮影依頼を受け付け、撮影システム１８における放射線画像の撮影スケジュールを管理するものであり、データベース２８を含んで構成されている。
【００２８】
データベース２８は、患者３０（図２参照。）の属性情報（氏名、性別、生年月日、年齢、血液、患者ＩＤ等）、病歴、受診歴、過去に撮影した放射線画像等、患者３０に関する情報、撮影システム１８の電子カセッテ３２の識別番号、型式、サイズ、感度、使用可能な撮影部位（対応可能な撮影依頼の内容）、使用開始年月日、使用回数等、電子カセッテ３２に関する情報、及び電子カセッテ３２を用いて放射線画像を撮影する環境、すなわち、電子カセッテ３２を使用する環境（一例として、手術室や放射線画像の撮影専用に設置された撮影室など）を示す環境情報を含んで構成されている。
【００２９】
撮影システム１８は、ＲＩＳサーバ１４からの指示に応じて医師２６や放射線技師の操作により放射線画像の撮影を行う。撮影システム１８は、撮影条件に従った放射線量からなる放射線Ｘを被写体に照射する撮影装置３４と、患者３０を透過した放射線Ｘを検出し、放射線画像情報に変換する放射線検出器６０（図２参照。）を内蔵する電子カセッテ３２と、前記放射線検出器によって検出された放射線Ｘに基づく放射線画像を表示する表示装置３６と、電子カセッテ３２に内蔵されるバッテリを充電するクレードル４０と、電子カセッテ３２、撮影装置３４、表示装置３６及びクレードル４０を制御するコンソール４２と、を備える。
【００３０】
図２には、本実施の形態に係る撮影システム１８を配置した様子の一例として、撮影システム１８が撮影室としての手術室４４内に設置された様子が示されている。本実施の形態に係る撮影システム１８では、電子カセッテ３２、撮影装置３４及び表示装置３６とコンソール４２とをそれぞれケーブルで接続して有線通信によって各種情報の送受信を行うが、図２では、各機器間を接続するケーブルを省略している。
【００３１】
図２の手術室４４では、撮影システム１８に加えて、患者３０が横臥する手術台４６が配置されると共に、医師２６が手術に使用する各種器具が載置される器具台４８が手術台４６の側部に配置される。また、手術台４６の周りには、麻酔器、吸引器、心電計、血圧計等、手術に必要な様々な機器が配置される（これらの機器は、図２では省略されている。）。
【００３２】
撮影装置３４は、自在アーム５２に連結され、患者３０の撮影部位に応じた所望の位置に移動可能であると共に、医師２６による手術の邪魔とならない位置に待避可能である。同様に、表示装置３６は、自在アーム５２に連結され、撮影された放射線画像を医師２６が容易に確認できる位置に移動可能である。
【００３３】
クレードル４０は、電子カセッテ３２を収納可能な収容部４０Ａが形成されている。
【００３４】
電子カセッテ３２は、待機時、クレードル４０の収容部４０Ａに収納され、内蔵されるバッテリに充電が行われ、放射線画像の撮影時、クレードル４０から取り出され、通信ケーブルが接続されて患者３０の撮影部位に配置される。
【００３５】
なお、電子カセッテ３２は、手術室４４で使用される場合に限られるものではなく、例えば、検診や病院内での回診にも適用することができる。
【００３６】
図３には、本実施の形態に係る電子カセッテ３２の内部構成が示されている。
【００３７】
同図に示すように、電子カセッテ３２は、放射線Ｘを透過させる材料からなる筐体５４を備えており、防水性、密閉性を有する構造とされている。電子カセッテ３２は、手術室４４等で使用されるとき、血液やその他の雑菌が付着するおそれがある。そこで、電子カセッテ３２を防水性、密閉性を有する構造として、必要に応じて殺菌洗浄することにより、１つの電子カセッテ３２を繰り返し続けて使用することができる。この筐体５４の側面には通信ケーブルを接続するための接続端子３２Ａが設けられている。筐体５４の内部には、放射線Ｘが照射される筐体５４の照射面５６側から、患者３０による放射線Ｘの散乱線を除去するグリッド５８、患者３０を透過した放射線Ｘを検出する放射線検出器６０、及び、放射線Ｘのバック散乱線を吸収する鉛板６２が順に配設される。なお、筐体５４の照射面５６をグリッド５８として構成してもよい。
【００３８】
また、筐体５４の内部の一端側には、マイクロコンピュータを含む電子回路及び充電可能な二次電池を収容するケース３１が配置されている。放射線検出器６０及び電子回路は、ケース３１に配置された二次電池から供給される電力によって作動する。ケース３１内部に収容された各種回路が放射線Ｘの照射に伴って損傷することを回避するため、ケース３１の照射面２２側には鉛板等を配設しておくことが望ましい。
【００３９】
図４には、本実施の形態に係る放射線画像撮影システム１８の詳細な構成を示すブロック図が示されている。
【００４０】
撮影装置３４には、コンソール４２と通信を行うための接続端子３４Ａが設けられている。コンソール４２には、撮影装置３４と通信を行うための接続端子４２Ａ、電子カセッテ３２と通信を行うための接続端子４２Ｂ、及び表示装置３６へ画像信号を出力するための接続端子４２Ｃが設けられている。
【００４１】
撮影装置３４は通信ケーブル３５を介してコンソール４２に接続され、表示装置３６はディスプレイケーブル３７を介してコンソール４２に接続されている。電子カセッテ３２は、放射線画像の撮影時に、接続端子３２Ａに通信ケーブル４３が接続され、当該通信ケーブル４３を介してコンソール４２に接続される。なお、本実施の形態では、電子カセッテ３２とコンソール４２との間のデータ転送を高速で行うために、通信ケーブル４３に光ファイバを用いた光通信ケーブルを用いており、光通信によって電子カセッテ３２とコンソール４２との間でデータの転送を行っている。
【００４２】
電子カセッテ３２に内蔵された放射線検出器６０は、ＴＦＴアクティブマトリクス基板６６上に、放射線Ｘを吸収し、電荷に変換する光電変換層が積層されて構成されている。光電変換層は例えばセレンを主成分（例えば含有率５０％以上）とする非晶質のａ−Ｓｅ（アモルファスセレン）から成り、放射線Ｘが照射されると、照射された放射線量に応じた電荷量の電荷（電子−正孔の対）を内部で発生することで、照射された放射線Ｘを電荷へ変換する。なお、放射線検出器６０は、アモルファスセレンのような放射線Ｘを直接的に電荷に変換する放射線-電荷変換材料の代わりに、蛍光体材料と光電変換素子（フォトダイオード）を用いて間接的に電荷に変換しても良い。蛍光体材料としては、ガドリニウム硫酸化物（ＧＯＳ）やヨウ化セシウム（ＣｓＩ）が良く知られている。この場合、蛍光材料によって放射線Ｘ−光変換を行い、光電変換素子のフォトダイオードによって光−電荷変換を行なう。
【００４３】
また、ＴＦＴアクティブマトリクス基板６６上には、光電変換層で発生された電荷を蓄積する蓄積容量６８と、蓄積容量６８に蓄積された電荷を読み出すためのＴＦＴ７０を備えた画素部７４（図４では個々の画素部７４に対応する光電変換層を光電変換部７２として模式的に示している）がマトリクス状に多数個配置されており、電子カセッテ３２への放射線Ｘの照射に伴って光電変換層で発生された電荷は、個々の画素部７４の蓄積容量６８に蓄積される。これにより、電子カセッテ３２に照射された放射線Ｘに担持されていた画像情報は電荷情報へ変換されて放射線検出器６０に保持される。
【００４４】
また、ＴＦＴアクティブマトリクス基板６６には、一定方向（行方向）に延設され個々の画素部７４のＴＦＴ７０をオンオフさせるための複数本のゲート配線７６と、ゲート配線７６と直交する方向（列方向）に延設されオンされたＴＦＴ７０を介して蓄積容量６８から蓄積電荷を読み出すための複数本のデータ配線７８が設けられている。個々のゲート配線７６はゲート線ドライバ８０に接続されており、個々のデータ配線７８は信号処理部８２に接続されている。個々の画素部７４の蓄積容量６８に電荷が蓄積されると、個々の画素部７４のＴＦＴ７０は、ゲート線ドライバ８０からゲート配線７６を介して供給される信号により行単位で順にオンされ、ＴＦＴ７０がオンされた画素部７４の蓄積容量６８に蓄積されている電荷は、電荷信号としてデータ配線７８を伝送されて信号処理部８２に入力される。従って、個々の画素部７４の蓄積容量６８に蓄積されている電荷は行単位で順に読み出される。
【００４５】
図５には、本実施の形態に係る放射線検出器６０の１画素部分に注目した等価回路図が示されている。
【００４６】
同図に示すように、ＴＦＴ７０のソースは、データ配線７８に接続されており、このデータ配線７８は、信号処理部８２に接続されている。また、ＴＦＴ７０のドレインは蓄積容量６８及び光電変換部７２に接続され、ＴＦＴ７０のゲートはゲート配線７６に接続されている。
【００４７】
信号処理部８２は、個々のデータ配線７８毎にサンプルホールド回路８４を備えている。個々のデータ配線７８を伝送された電荷信号はサンプルホールド回路８４に保持される。サンプルホールド回路８４はオペアンプ８４Ａとコンデンサ８４Ｂを含んで構成され、電荷信号をアナログ電圧に変換する。また、サンプルホールド回路８４にはコンデンサ８４Ｂの両電極をショートさせ、コンデンサ８４Ｂに蓄積された電荷を放電させるリセット回路としてスイッチ８４Ｃが設けられている。
【００４８】
サンプルホールド回路８４の出力側にはマルチプレクサ８６、Ａ／Ｄ変換器８８が順に接続されており、個々のサンプルホールド回路に保持された電荷信号はアナログ電圧に変換されてマルチプレクサ８６に順に（シリアルに）入力され、Ａ／Ｄ変換器８８によってデジタルの画像情報へ変換される。
【００４９】
信号処理部８２にはラインメモリ９０が接続されており（図４参照。）、信号処理部８２のＡ／Ｄ変換器８８から出力された画像情報はラインメモリ９０に順に記憶される。ラインメモリ９０は放射線画像を示す画像情報を所定ライン分記憶可能な記憶容量を有しており、１ラインずつ電荷の読み出しが行われる毎に、読み出された１ライン分の画像情報がラインメモリ９０に順次記憶される。
【００５０】
ラインメモリ９０は電子カセッテ３２全体の動作を制御するカセッテ制御部９２と接続されている。カセッテ制御部９２はマイクロコンピュータによって実現されており、光通信制御部９４が接続されている。この光通信制御部９４は、接続端子３２Ａに接続されており、接続端子３２Ａを介して接続された外部機器との間で各種情報の伝送を制御する。カセッテ制御部９２は、光通信制御部９４を介して外部機器との間で各種情報の送受信が可能とされている。カセッテ制御部９２は、外部機器から受信される後述する撮影制御情報を記憶し、当該情報に基づいて電荷の読み出しを開始する。
【００５１】
また、電子カセッテ３２には電源部９６が設けられており、上述した各種回路や各素子(ゲート線ドライバ８０、信号処理部８２、ラインメモリ９０、光通信制御部９４やカセッテ制御部９２として機能するマイクロコンピュータ)は、電源部９６から供給された電力によって作動する。電源部９６は、電子カセッテ３２の可搬性を損なわないように、バッテリ（充電可能な二次電池）を内蔵しており、充電されたバッテリから各種回路・素子へ電力を供給する。
【００５２】
一方、コンソール４２は、サーバ・コンピュータとして構成されており、操作メニューや撮影された放射線画像等を表示するディスプレイ１００と、複数のキーを含んで構成され、各種の情報や操作指示が入力される操作パネル１０２と、を備えている。
【００５３】
また、本実施の形態に係るコンソール４２は、装置全体の動作を司るＣＰＵ１０４と、制御プログラムを含む各種プログラム等が予め記憶されたＲＯＭ１０６と、各種データを一時的に記憶するＲＡＭ１０８と、各種データを記憶して保持するＨＤＤ１１０と、ディスプレイ１００への各種情報の表示を制御するディスプレイドライバ１１２と、操作パネル１０２に対する操作状態を検出する操作入力検出部１１４と、接続端子４２Ａに接続され、接続端子４２Ａ及び通信ケーブル３５を介して撮影装置３４との間で後述する曝射条件や撮影装置３４の状態情報等の各種情報の送受信を行う通信インタフェース（Ｉ／Ｆ）部１１６と、接続端子４２Ｂに接続され、接続端子４２Ｂ及び通信ケーブル４３を介して電子カセッテ３２との間で撮影制御情報や画像情報等の各種情報の送受信を行う光通信制御部１１８と、接続端子４２Ｃに接続され、接続端子４２Ｃ及びディスプレイケーブル３７を介して表示装置３６に対して画像信号を出力する画像信号出力部１２０と、を備えている。
【００５４】
ＣＰＵ１０４、ＲＯＭ１０６、ＲＡＭ１０８、ＨＤＤ１１０、ディスプレイドライバ１１２、操作入力検出部１１４、通信Ｉ／Ｆ部１１６、光通信制御部１１８、及び画像信号出力部１２０は、システムバスＢＵＳを介して相互に接続されている。従って、ＣＰＵ１０４は、ＲＯＭ１０６、ＲＡＭ１０８、ＨＤＤ１１０へのアクセスを行うことができると共に、ディスプレイドライバ１１２を介したディスプレイ１００への各種情報の表示の制御、通信Ｉ／Ｆ部１１６を介した撮影装置３４との各種情報の送受信の制御、光通信制御部１１８を介した電子カセッテ３２との各種情報の送受信の制御、及び画像信号出力部１２０を介した表示装置３６に表示される画像の制御、を行うことができる。また、ＣＰＵ１０４は、操作入力検出部１１４を介して操作パネル１０２に対するユーザの操作状態を把握することができる。
【００５５】
一方、撮影装置３４は、放射線Ｘを出力する放射線源１３０と、コンソール４２との間で曝射条件や撮影装置３４の状態情報等の各種情報を送受信する通信Ｉ／Ｆ部１３２と、受信した曝射条件に基づいて放射線源１３０を制御する線源制御部１３４と、を備えている。線源制御部１３４もマイクロコンピュータによって実現されており、受信した曝射条件を記憶し、記憶した曝射条件に基づいて放射線源１３０から放射線Ｘを照射させる。
【００５６】
また、表示装置３６は、受信した画像信号により示される画像を表示する表示部３６Ａ、を備えている。
【００５７】
なお、本実施の形態では、表示部３６Ａ、及びディスプレイ１００としてＬＣＤ（Liquid Crystal Display）を用いて可視表示を行っているが、これに限らず、表示部３６Ａ、及びディスプレイ１００として有機ＥＬディスプレイ、ＣＲＴディスプレイ等の他のディスプレイを用いて可視表示を行っても良い。
【００５８】
次に、本実施の形態に係るＲＩＳ１０の全体的な動作について簡単に説明する。
【００５９】
入力端末１２（図１参照。）は、医師２６又は放射線技師からの、環境情報を含む撮影依頼を受け付ける。当該撮影依頼では、電子カセッテ３２を使用する環境、撮影の日時及び撮影条件｛撮影の部位、角度及び枚数、放射線Ｘを照射するための管電圧、管電流、照射時間並びに電子カセッテ３２のサイズ及び感度等｝が指定される。
【００６０】
入力端末１２は、受け付けた撮影依頼の内容をＲＩＳサーバ１４に通知する。ＲＩＳサーバ１４は、入力端末１２から通知された撮影依頼の内容をデータベース２８に記憶する。
【００６１】
コンソール４２は、ＲＩＳサーバ１４にアクセスすることにより、ＲＩＳサーバ１４から撮影依頼の内容及びこれに関連付けられた環境情報を取得し、撮影依頼の内容をディスプレイ１００（図２及び図４参照。）に表示する。
【００６２】
医師２６や放射線技師がディスプレイ１００に表示された撮影依頼の内容に基づいて放射線画像の撮影を開始する。
【００６３】
例えば、図２に示すように、手術台４６上に横臥した患者３０の患部の放射線画像の撮影を行う場合、医師２６や放射線技師は、撮影の部位、角度に応じて手術台４６と患者３０の患部との間に電子カセッテ３２を配置すると共に、患部上方に撮影装置３４を配置する。また、医師２６や放射線技師は、患者３０の撮影部位や撮影条件に応じてコンソール４２の操作パネル１０２に対して放射線Ｘを照射する際の管電圧、管電流、照射時間等の曝射条件を指定する曝射条件指定操作を行う。医師２６や放射線技師は、撮影装置３４の曝射準備が完了すると、コンソール４２の操作パネル１０２に対して撮影を指示する撮影指示操作を行う。
【００６４】
次に、本実施の形態に係る撮影システム１８の動作について詳細に説明する。
【００６５】
図６には、撮影システム１８により放射線画像を撮影する際の動作の流れを示すタイミングチャートが示されている。
【００６６】
電子カセッテ３２は、電源がオンされた状態（立ち上げた状態）では動作モードが初期状態である非動作状態（ＮＯＰ状態）となっており、コンソール４２から通信ケーブル４３を介して受信される指示情報に基づいて動作する。
【００６７】
ところで、電子カセッテ３２の内蔵された放射線検出器６０（図４参照。）は、電子カセッテ３２の電源がオン状態の場合、放射線Ｘが照射されていない状態であっても暗電流等により各蓄積容量６８に電荷が蓄積される。このため、カセッテ制御部９２は、動作モードが非動作状態の場合、信号処理部８２に対してリセットを指示する指示信号を出力している。信号処理部８２は、リセットを指示する指示信号が入力されると、スイッチ８４Ｃ（図５参照。）がオンなってコンデンサ８４Ｂの両電極をショートさせる。このようにコンデンサ８４Ｂの両電極をショートさせることによってコンデンサ８４Ｂに不要に蓄積された電荷が放出される。
【００６８】
コンソール４２は、通信ケーブル４３に電子カセッテ３２が接続されると、リセットモードでの動作を指示する指示情報Ｃ１を通信ケーブル４３を介して電子カセッテ３２へ送信する。
【００６９】
カセッテ制御部９２は、リセットモードでの動作を指示する指示情報Ｃ１が受信されると、動作モードがリセットモードへ移行し、ゲート線ドライバ８０を制御してゲート線ドライバ８０から１ラインずつ順に各ゲート配線７６にＯＮ信号を出力させ、各ゲート配線７６に接続された各ＴＦＴ３６を１ラインずつ順にＯＮさせる。これにより、１ラインずつ順に各蓄積容量６８に蓄積された電荷が電荷信号として各データ配線７８に流れ出す。カセッテ制御部９２は、動作モードがリセットモードである間、１ラインずつ順に各ゲート配線７６にＯＮ信号を出力させて各蓄積容量６８に蓄積された電荷を１フレーム分リセットするリセット動作を繰り返す。
【００７０】
コンソール４２は、操作パネル１０２に対して曝射条件指定操作が行われると、曝射条件指定操作で指定された管電圧、管電流、照射時間等の曝射条件情報Ｃ２を通信ケーブル３５を介して撮影装置３４へ送信する。また、コンソール４２は、放射線画像の撮影の際、放射線検出器６０の各蓄積容量６８に電荷を蓄積させる蓄積時間等の撮影制御情報Ｃ３を通信ケーブル４３を介して電子カセッテ３２へ送信する。
【００７１】
撮影装置３４は、電源をオンされて所定の初期起動動作が完了すると、動作状態がスリープ状態となって待機している。撮影装置３４は、曝射条件情報Ｃ２が受信されると、受信した曝射条件情報を記憶すると共に、動作状態が駆動状態へ移行する。撮影装置３４は、動作状態が駆動状態に復帰すると、撮影準備完了を示す情報Ｃ４を通信ケーブル３５を介してコンソール４２へ送信する。
【００７２】
電子カセッテ３２のカセッテ制御部９２は、撮影制御情報Ｃ３が受信されると、受信した当該撮影制御情報を記憶する。
【００７３】
コンソール４２は、撮影準備完了を示す情報Ｃ４が受信されると、撮影準備が完了したことをディスプレイ１００に表示し、操作パネル１０２に対する撮影を指示する撮影指示操作が可能となる。本実施の形態に係る撮影システム１８では、操作パネル１０２に対する撮影指示操作を２段階の操作としており、操作パネル１０２に対して１段階目の撮影指示操作の後に２段階目の撮影指示操作が行われることにより放射線画像の撮影が行われる。この２段階の撮影指示操作は、例えば、操作パネル１０２の２つのボタンを順に押下するものでもあってもよく、また、例えば、１つのボタンに対する半押、全押であってもよい。
【００７４】
コンソール４２は、操作パネル１０２に対して１段階目の撮影指示操作が行われると、曝射用意を指示する指示情報Ｃ５を通信ケーブル３５を介して撮影装置３４へ送信する。
【００７５】
撮影装置３４は、曝射用意を指示する指示情報Ｃ５が受信されると、直前に記憶した曝射条件情報により示される管電圧、管電流での曝射が行われるように放射線源１３０のスタンバイを行う。撮影装置３４は、放射線源１３０のスタンバイが完了すると、スタンバイ完了を示す情報Ｃ６を通信ケーブル３５を介してコンソール４２へ送信する。
【００７６】
コンソール４２は、スタンバイ完了を示す情報Ｃ６が受信されると、２段階目の撮影指示操作が可能となる。コンソール４２は、操作パネル１０２に対して２段階目の撮影指示操作が行われると、撮影を要求する指示情報Ｃ７を通信ケーブル４３を介して電子カセッテ３２へ送信する。
【００７７】
カセッテ制御部９２は、撮影を要求する指示情報Ｃ７が受信されると、１フレーム分のリセット動作が完了するまでリセット動作を行い、１フレーム分のリセット動作の完了後、撮影開始を指示する指示情報Ｃ８を通信ケーブル３５を介してコンソール４２へ送信し、動作モードを撮影モードへ移行する。
【００７８】
コンソール４２は、撮影開始を指示する指示情報Ｃ８が受信されると、曝射を指示する指示情報Ｃ９を通信ケーブル４３を介して撮影装置３４へ送信する。
【００７９】
撮影装置３４は、曝射を指示する指示情報Ｃ９が受信されると、直前に記憶した曝射条件情報により示される照射時間だけ放射線源１３０から放射線Ｘを照射させる。
【００８０】
放射線源１３０から照射された放射線Ｘは、患者３０を透過した後に電子カセッテ３２に到達する。これにより、電子カセッテ３２に内蔵された放射線検出器６０の各画素部７４の蓄積容量６８には照射された放射線Ｘの線量に応じた電荷が蓄積される。
【００８１】
カセッテ制御部９２は、撮影開始を指示する指示情報Ｃ８の送信後、直前に記憶した撮影制御情報で定められた蓄積時間だけ待機した後に、ゲート線ドライバ８０を制御してゲート線ドライバ８０から１ラインずつ順に各ゲート配線７６にＯＮ信号を出力させ、各ゲート配線７６に接続された各ＴＦＴ３６を１ラインずつ順にＯＮさせる。これにより、１ラインずつ順に各蓄積容量６８に蓄積された電荷が電荷信号として各データ配線７８に流れ出す。各データ配線７８に流れ出した電荷信号は個々のサンプルホールド回路８４に入力されて電圧信号に変換され、変換された電圧信号がマルチプレクサに順に（シリアルに）入力され、Ａ／Ｄ変換器によってデジタルの画像情報へ変換されて、ラインメモリ９０に記憶される。
【００８２】
コンソール４２は、１ライン分ずつ画像情報転送要求信号を通信ケーブル４３を介して電子カセッテ３２へ送信する。カセッテ制御部９２は、画像情報転送要求信号が受信される毎にラインメモリ９０に記憶された１ライン分の画像情報をシリアルデータに変換して通信ケーブル４３を介してコンソール４２へ送信する。この１フレーム分の画像情報の転送は、コンソール４２側において転送されたライン数をカウントし、カウント値が１フレーム分のライン数となった場合に画像情報転送要求信号の送信を停止するようにしてもよく、また、カセッテ制御部９２が、１フレーム分の画像情報の転送完了を示す転送完了情報を最後に送信し、コンソール４２側が転送完了情報を受信した場合に画像情報転送要求信号の送信を停止するようにしてもよい。
【００８３】
カセッテ制御部９２は、１フレーム分の画像情報の転送が終了すると、動作モードがリセットモードへ移行する。ここでは、連続撮影を行わないものとして、リセットモードへ移行することとしているが、連続撮影を行うものしてもよい。
【００８４】
コンソール４２では、１フレーム分の画像情報に対して所定の画像処理を施し、画像処理後の画像情報を患者３０の患者情報と関連付けられた状態でＨＤＤ１１０に記憶させる。また、コンソール４２は、画像処理後の放射線画像を示す画像信号を表示装置３６に対して出力して表示装置３６の表示部３６Ａに表示させる。医師２６は、表示部３６Ａに表示された放射線画像を確認しながら手術を遂行する。
【００８５】
ところで、本実施の形態のように、通信ケーブルを着脱可能とした場合、一旦ケーブルが外れると、接続端子と通信ケーブルとの接続状態が不安定となり、ケーブル外れが発生しやすくなる場合がある。
【００８６】
そこで、本実施の形態では、接続端子３２Ａと通信ケーブル４３との接続状態を示す状態情報としてビットエラーレート（ＢＥＲ）を検出する。このビットエラーレートは、デジタルデータの送受信を行なう際に、受信データの中に送信データと異なるビットが含まれる確率である。
【００８７】
本実施の形態では、電子カセッテ３２のカセッテ制御部９２及びコンソール４２のＲＯＭ１０６に予め定めた同じ検査用データを記憶させており、画像情報の送受信を行う際に、コンソール４２において接続状態検出処理プログムの処理を実行することによりビットエラーレートを検出する。
【００８８】
図７には、ビットエラーレートの変化の一例を示すグラフが示されている。
【００８９】
ビットエラーレートは、接続端子３２Ａと通信ケーブル４３との接続状態が悪化すると値が大きくなる傾向がある。
【００９０】
本実施の形態では、接続端子３２Ａと通信ケーブル４３との接続状態が悪化して画像情報の伝送に不適切となった場合のビットエラーレートを実験的に求めて閾値としてコンソール４２のＲＯＭ１０６に記憶させており、放射線画像の撮影準備段階の予め定めたタイミングでコンソール４２において転送エラー発生予測プログムの処理を実行することにより通信ケーブル４３が画像情報の転送に不適切であるか否か判定する。上記予め定めたタイミングは、例えば、コンソール４２の電源をオンしたタイミングや、コンソール４２がＲＩＳサーバ１４から撮影依頼の内容等の情報を取得したタイミングであってもよい。また、上記予め定めたタイミングは、撮影システム１８が撮影室で放射線画像の撮影を行う場合、患者が撮影室に入るドアにセンサを設け、当該センサで患者の撮影室への入室を検出したタイミングとしてもよい。さらに、上記予め定めたタイミングは、撮影室と技師室が別の場合、撮影室と技師室の間のドアにセンサを設け、当該センサで技師の撮影室への入室を検出したタイミングとしてもよい。
【００９１】
図８には、放射線画像の撮影準備段階の予め定めたタイミングでＣＰＵ１０４により実行される接続状態警告処理プログムの処理の流れを示すフローチャートが示されている。なお、当該プログラムはＲＯＭ１０６の所定の領域に予め記憶されている。
【００９２】
ステップＳ１０では、予め定めた検査用データの送信を指示する指示情報を通信ケーブル４３を介して電子カセッテ３２へ送信する。
【００９３】
電子カセッテ３２は、検査用データの送信を指示する指示情報が受信されると、検査用データを通信ケーブル４３を介してコンソール４２へ送信する。
【００９４】
次のステップＳ１２では、検査用データの受信待ちを行い、次のステップＳ１４では受信された検査用データを予め記憶した検査用データとを比較してエラービットを特定し、次のステップＳ１６では、検査用データのビット数に対するエラービットのビット数の割合を求めることによりビットエラーレートを検出する。
【００９５】
ステップＳ１８では、検出したビットエラーレートをＲＯＭ１０６に記憶した上記閾値と比較する。
【００９６】
次のステップＳ２０では、ビットエラーレートが閾値以上であるか否か判定し、肯定判定となった場合はステップＳ２２へ移行し、否定判定となった場合は処理終了となる。
【００９７】
ステップＳ２２では、ディスプレイ１００に通信ケーブル４３の交換を促す警告を所定時間表示させて、処理終了となる。
【００９８】
医師２６や放射線技師は、ディスプレイ１００に通信ケーブル４３の交換を促す警告が表示された場合、通信ケーブル４３を新しいものに交換する。これにより、接続端子３２Ａと通信ケーブル４３との接続状態が安定し、画像情報を安定して転送することができるようになるため、円滑に放射線画像を撮影することができる。
【００９９】
以上のように、本実施の形態によれば、電子カセッテ３２の接続端子３２Ａと通信ケーブル４３の接続状態を示す状態情報を取得し、取得された状態情報に基づいて、接続端子３２Ａに接続された通信ケーブル４３が画像情報の伝送に不適切であるか否か判定された場合に警告を行うことにより、円滑に放射線画像を撮影することができる。
【０１００】
なお、上記実施の形態では、コンソール３４において接続状態を示す状態情報を検出することにより取得する場合について説明したが、本発明はこれに限定されるものではなく、例えば、電子カセッテ３２において接続状態を検出し、接続状態を示す状態情報をコンソール３４へ送信するようにしてもよい。また、例えば、閾値を電子カセッテ３２や外部装置に記憶させるようにしてもよい。
【０１０１】
また、上記実施の形態では、接続端子３２Ａと通信ケーブル４３との接続状態を示す情報としてビットエラーレートを検出する場合について説明したが、本発明はこれに限定されるものではなく、データを伝送した際の通信品質を示すものであれば何れあってもよい。例えば、データを伝送する際の再送要求回数としてもよい。再送要求回数は、接続端子３２Ａと通信ケーブル４３との接続状態が悪化すると、増加する傾向がある。このため、再送要求回数を接続端子３２Ａと通信ケーブル４３との接続状態の判定に用いることができる。
【０１０２】
また、例えば、通信ケーブル４３がデータが伝送される信号線をノイズや外傷等から保護するためのシールド線を有する場合、シールド線の抵抗値を測定するものとしてもよい。シールド線の抵抗値は、接続端子３２Ａと通信ケーブル４３との接続状態が悪化すると増加する傾向がある。このため、シールド線の抵抗値を接続端子３２Ａと通信ケーブル４３との接続状態の判定に用いることができる。図９には、通信ケーブル４３のシールド線４３Ｃの抵抗値を測定する測定回路の一例が示されている。光通信を行う通信ケーブル４３の場合、シールド線４３Ｃは、一本の配線と見なすことができる。そこで、例えば、コンソール４３において、シールド線４３Ｃの一端をグランド配線に接続し、電子カセッテ３２において、シールド線４３Ｃの他端に対して配線１５０を介して電流を流し、配線１５０の電圧レベルをＡ／Ｄ変換器１５２にてデジタルデータに変換して検出する。この場合は、電子カセッテ３２が検出された電圧レベルをコンソール４２へ送信すればよい。なお、電子カセッテ３２において、シールド線４３Ｃの他端をグランド配線に接続し、コンソール４３において、シールド線４３Ｃの抵抗値を検出するようにしてもよい。この測定回路では、シールド線４３Ｃの抵抗値が増加すると配線１５０の電圧レベルも上昇する。よって、配線１５０の電圧レベルを検出することにより、シールド線４３Ｃの抵抗値を求めることができる。
【０１０３】
また、例えば、通信ケーブル４３としてツイストペア線を用いた場合、ツイストペア線はシールド線４３Ｃもペアで設けられている。図１０には、通信ケーブル４３にシールド線４３Ｃがペアで設けられている場合の通信ケーブル４３のシールド線４３Ｃの抵抗値を測定する測定回路の一例が示されている。この場合は、ペアのシールド線４３Ｃの一端側を接続して閉回路を形成することにより、ペアのシールド線４３Ｃの抵抗値を一度に検出することができる。また、通信ケーブル４３がシールド線４３Ｃと信号線が１本ずつ備えている場合は、例えば、一端側に信号線とシールド線を接続するスイッチを設けて、抵抗値を測定する間、当該スイッチをオンとして信号線とシールド線とを一端側を接続させて閉回路を形成し、信号線でデータの伝送を行う際に、当該スイッチをオフとして信号線とシールド線を切断するようにしてもよい。
【０１０４】
また、上記実施の形態では、接続端子３２Ａと通信ケーブル４３との接続状態を示す情報として通信品質を検出する場合について説明したが、本発明はこれに限定されるものではなく、例えば、接続端子３２Ａにメカニカルスイッチ又はセンサを設け、メカニカルスイッチ又はセンサによって検出された接続端子３２Ａと通信ケーブル４３との物理的な接合状態を検出するようにしてもよい。図１１（Ａ）（Ｂ）には、接続端子３２Ａにメカニカルスイッチ１５６を設けた一例が示されている。なお、図１１（Ａ）は接続端子３２Ａに通信ケーブル４３が未接続である場合のメカニカルスイッチ１５６の状態を示しており、図１１（Ｂ）は接続端子３２Ａに通信ケーブル４３を接続させた場合のメカニカルスイッチ１５６の状態を示している。メカニカルスイッチ１５６がオン、オフを検知する場合は、接続端子３２Ａと通信ケーブル４３を接続した後、メカニカルスイッチ１５６のチャタリングの有無を検出するものとしてもよい。また、例えば、メカニカルスイッチ１５６が、図１１（Ｃ）に示すように、通信ケーブル４３の挿入量で抵抗１５８との接触位置が変化してアナログ信号を出力する場合、当該アナログ信号を検出するようにしてもよい。図１２（Ａ）（Ｂ）には、メカニカルスイッチの他の例として、通信ケーブル４３の挿入量に応じて振動するメカニカルスイッチ１６２を設けた一例が示されている。なお、図１２（Ａ）は接続端子３２Ａに通信ケーブル４３が未接続である場合のメカニカルスイッチ１６２の状態を示しており、図１２（Ｂ）は接続端子３２Ａに通信ケーブル４３を接続させた場合のメカニカルスイッチ１６２の状態を示している。このメカニカルスイッチ１６２も接続端子３２Ａと通信ケーブル４３との接続状態の判定に用いることができる。さらに、図１３（Ａ）には、接続端子３２Ａにセンサとして反射型のセンサ１６６を設けた一例が示されている。センサ１６６は、発光部１６７から光を照射し、受光部１６８で反射光を受光する。図１３（Ｂ）には、センサ１６６の等価回路図が示されている。発光部１６７は発光ダイオード１６７Ａを備えており、受光部１６８はフォトダイオード１６８Ａを備えている。このフォトダイオード１６８Ａを介して流れる電流又は電圧を検出することにより、通信ケーブル４３の挿入量を検出することができる。
【０１０５】
また、例えば、通信ケーブル４３の端子にケーブルを識別するための識別情報が記憶されたメモリ４３ＡとしてＲＦＩＤ（Radio Frequency Identification）などの無線通信で読取り可能なチップを埋込む。図１４には、端子４３Ｂのメモリ４３Ａが埋め込まれた領域が示されている。また、コンソール４２の接続端子４２Ｂの近傍に読取部１２２が設ける。図１５には、接続端子４２Ｂの近傍に読取部１２２を設けた構成の一例を示す図が示されている。読取部１２２は、通信ケーブル４３が接続端子４２Ｂに接続された際に、接続端子４２Ｂに接続された通信ケーブル４３に付されたメモリ４３Ａの識別情報を読み取る。
【０１０６】
このような構成において、読取部１２２による、通信ケーブル４３に付されたメモリ４３Ａの識別情報の読み取り状態で接続端子３２Ａと通信ケーブル４３との接続状態を検出するものとしてもよい。
【０１０７】
また、接続端子３２Ａと通信ケーブル４３との接続状態として、例えば、図１６に示すように、接続端子３２Ａに接続させた通信ケーブル４３を、電子カセッテ３２に設けられた保持部材１５８により保持させる場合、保持部材１５８にメカニカルスイッチ又はセンサを設けて通信ケーブル４３の保持状態を検出するものとしてもよい。さらに、通信ケーブル４３が電子カセッテ３２に設けられた溝内に埋め込まれて保持される場合は、メカニカルスイッチ又はセンサを設けて通信ケーブル４３の保持状態を検出するものとしてもよい。
【０１０８】
また、上記実施の形態では、ディスプレイ１００に警告を表示することにより、医師２６や放射線技師に警告を行う場合について説明したが、本発明はこれに限定されるものではなく、例えば、スピーカ等の音声再生装置を用いて音声出力を行ったり、印字出力を行っても良い。また、ディスプレイ１００への警告の表示、スピーカからの音声出力及び印字出力の複数を組み合わせても良い。
【０１０９】
また、上記実施の形態では、コンソール３４において状態情報に基づいて通信ケーブル４３が画像情報の転送に不適切であるか否か判定する場合について説明したが、本発明はこれに限定されるものではなく、例えば、電子カセッテ３２において判定を行うようにしてもよい。警告は電子カセッテで行ってもよく、コンソール３４で行わせてもよい。
【０１１０】
その他、上記実施の形態で説明した放射線情報システム１０の構成（図１参照。）、撮影システム１８の構成（図２〜図４参照。）及び電子カセッテ３２の構成（図３〜図５を参照。）は一例であり、本発明の主旨を逸脱しない範囲内において状況に応じて変更可能であることは言うまでもない。
【０１１１】
また、上記本実施の形態で説明した放射線画像を撮影する際の動作の流れ（図６参照。）も一例であり、本発明の主旨を逸脱しない範囲内において状況に応じて変更可能であることは言うまでもない。
【０１１２】
また、上記実施の形態で説明したプログラムの処理の流れ（図８参照。）も一例であり、本発明の主旨を逸脱しない範囲内において不要なステップを削除したり、新たなステップを追加したり、処理順序を入れ替えたりすることができることは言うまでもない。
【図面の簡単な説明】
【０１１３】
【図１】実施の形態に係る放射線情報システムの構成を示すブロック図である。
【図２】実施の形態に係る放射線画像撮影システムが設置された手術室の様子を示す図である。
【図３】実施の形態に係る電子カセッテの内部構成を示す斜視図である。
【図４】本実施の形態に係る放射線画像撮影システムの詳細な構成を示すブロック図である。
【図５】実施の形態に係る放射線検出器の１画素部分に注目した等価回路図である。
【図６】実施の形態に係る放射線画像を撮影する際の動作の流れ示すタイミングチャートである。
【図７】実施の形態に係るビットエラーレートの変化の一例を示すグラフである。
【図８】本実施の形態に係る接続状態警告処理プログムの処理の流れを示すフローチャートである。
【図９】他の実施の形態に係る通信ケーブルに内臓されたシールド線の抵抗値を測定する測定回路の一例を示す回路図である。
【図１０】他の実施の形態に係る通信ケーブルに内臓された２本のシールド線の抵抗値を測定する測定回路の一例を示す回路図である。
【図１１】（Ａ）は接続端子に通信ケーブルが未接続である場合のメカニカルスイッチの状態を示す図であり、（Ｂ）は接続端子に通信ケーブルを接続させた場合のメカニカルスイッチの状態を示す図であり、（Ｃ）はメカニカルスの等価回路図である。
【図１２】（Ａ）は接続端子に通信ケーブルが未接続である場合の振動型のメカニカルスイッチの状態を示す図であり、（Ｂ）は接続端子に通信ケーブルを接続させた場合の振動型のメカニカルスイッチの状態を示す図である。
【図１３】（Ａ）は接続端子に反射型のセンサを設けた状態を示す図であり、（Ｂ）は反射型のセンサの等価回路図である。
【図１４】他の実施の形態に係る通信ケーブルのメモリが埋め込まれた領域を示す図である。
【図１５】他の実施の形態に係る接続端子の近傍に読取部を設けた構成の一例を示す図である。
【図１６】他の実施の形態に係る通信ケーブルを電子カセッテに設けられた保持部材により保持させ状態を示す図である。
【符号の説明】
【０１１４】
１８    放射線画像撮影システム
３２Ａ  接続端子
３２    電子カセッテ（放射線画像撮影装置）
４２Ｂ  接続端子
４３    通信ケーブル
４３Ｃ  シールド線
４３Ａ  メモリ
６０    放射線検出器（生成手段）
８０    ゲート線ドライバ（生成手段）
８２    信号処理部（生成手段）
１０４  ＣＰＵ（取得手段、判定手段、制御手段）
１００  ディスプレイ（警告手段）
１２２  読取部（特定手段）
１５６  メカニカルスイッチ
１５８  保持部材
１６２  メカニカルスイッチ
【図１】
2010022640.tif 000003
【図２】
2010022640.tif 000004
【図３】
2010022640.tif 000005
【図４】
2010022640.tif 000006
【図５】
2010022640.tif 000007
【図６】
2010022640.tif 000008
【図７】
2010022640.tif 000009
【図８】
2010022640.tif 000010
【図９】
2010022640.tif 000011
【図１０】
2010022640.tif 000012
【図１１】
2010022640.tif 000013
【図１２】
2010022640.tif 000014
【図１３】
2010022640.tif 000015
【図１４】
2010022640.tif 000016
【図１５】
2010022640.tif 000017
【図１６】
2010022640.tif 000018